(57)【特許請求の範囲】
【請求項１】
カード本体と、板状の金銭価値を有する景品と、第１、第２カバーと、接続材と、を備えている、遊戯用の景品カードであって、
前記カード本体は、第１凹部と、第２凹部と、を備えており、
前記第１凹部は、前記景品よりも広い領域を有し、カード本体の表面を基準とする場合に、前記景品の高さより浅い深さを有しており、
前記第２凹部は、第１凹部内にあり、カード本体の表面を基準とする場合に、前記景品以上の深さを有し、景品を嵌め、固定できる形状を有しており、
前記景品の上縁には、段が設けられており、前記段は、前記第２凹部に景品を嵌合させた場合に、第１凹部の底面以上となる高さに設けられており、
前記第１カバーは、カッターの刃に抗し得る硬質材であり、前記第１凹部に嵌合する形状のものであり、かつ、内側に前記景品の縁の段に嵌合する開口部を有しており、かつ、前記景品に嵌合させた場合に、景品の上面と同じ位置又は低い位置となる厚みのものであり、
前記接続材は、第１カバーと第１凹部の底面とを接続するものであり、
前記第２カバーは、第２凹部に固定された景品に第１カバーを嵌合させた状態のカード本体を、覆うように取り付けられるものである、
ことを特徴とする遊戯用の景品カード。
【請求項２】
前記第１カバーが、カッター刃の押し付けに応じて可塑変形するものであり、
前記接続材が、前記第１カバーの可塑変形を許容する緩衝性を有する両面テープである、
ことを特徴とする請求項１記載の遊戯用の景品カード。
【請求項３】
前記第１カバーが、金属製である、
ことを特徴とする請求項１又は２記載の遊戯用の景品カード。
【請求項４】
前記第２カバーは、前記景品上に被せた第１カバーを少なくとも隠す不透明の領域を有している、
ことを特徴とする請求項１乃至３の何れか１つに記載の遊戯用の景品カード。
【請求項５】
景品カードが、パチンコの景品カードである、
ことを特徴とする請求項１乃至４の何れか1つに記載の遊戯用の景品カード。
【発明の詳細な説明】
【技術分野】
【０００１】
本発明は、パチンコ、スロットマシン等の遊戯用の景品カードに関する。前記景品カードとは、例えば、パチンコ店内で、定められた数のパチンコの玉と交換される、例えば、金貨、金製ペンダントトップ等、金銭価値を有する景品の収められたカードをいう。
【背景技術】
【０００２】
前記景品カードは、例えば、半分に折ることによって、比較的簡単に景品を取り出すことができるようになっている。この場合、景品カードには、折り目がつくため、第三者は、一見して景品を取り出したことを確認できる。
【０００３】
前記景品カードは、中の景品を取り出していない状態の場合に限り、パチンコ店外の景品交換所で換金することができる。従来、前記折り目がつかないように、カッター等で景品カードのカバーを部分切除して景品を抜き取り、景品を抜き取った景品カードを、他の景品カードで挟む等して、不正に換金を試みる者がいる。下記特許文献１には、前記不正を困難にするため、有価物（景品）２１を納めた中板２０表面上に景品の縁を覆う金属板２１を置き、その上に、金属枠を目立たなくする開口４１を有する巾板２０を被せた景品カードが記載されている（特許文献１の図３）。
【先行技術文献】
【特許文献】
【０００４】
【特許文献１】実用新案登録第３１４４４８６号
【発明の概要】
【発明が解決しようとする課題】
【０００５】
しかし、前記景品カードでは、有価物２１は中板２０に嵌合し、中板２０と有価物２１との各上面が同一面上に並ぶように収められており、かつ、金属板２１は、その上に被せるだけである。このため巾板２０の金属板２１よりも広い範囲をカッターによって切除すれば、あとは、有価物を傷つけることなく取り出すことができる。また、その後、切除した部分を貼り付けることで、外観上、景品を取り出していない状態の景品カードと変わらないカードを作ることができる。このため、前記不正を有効に防ぐことはできない。
【課題を解決するための手段】
【０００６】
請求項１記載の遊戯用の景品カードは、カード本体と、板状の金銭価値を有する景品と、第１、第２カバーと、接続材と、を備えている、遊戯用の景品カードであって、前記カード本体は、第１凹部と、第２凹部と、を備えており、前記第１凹部は、前記景品よりも広い領域を有し、カード本体の表面を基準とする場合に、前記景品の高さより浅い深さを有しており、前記第２凹部は、第１凹部内にあり、カード本体の表面を基準とする場合に、前記景品以上の深さを有し、景品を嵌め、固定できる形状を有しており、前記景品の上縁には、段が設けられており、前記段は、前記第２凹部に景品を嵌合させた場合に、第１凹部の底面以上となる高さに設けられており、前記第１カバーは、カッターの刃に抗し得る硬質材であり、前記第１凹部に嵌合する形状のものであり、かつ、内側に前記景品の縁の段に嵌合する開口部を有しており、かつ、前記景品に嵌合させた場合に、景品の上面と同じ位置又は低い位置となる厚みのものであり、前記接続材は、第１カバーと第１凹部の底面とを接続するものであり、前記第２カバーは、第２凹部に固定された景品に第１カバーを嵌合させた状態のカード本体を、覆うように取り付けられるものである、ことを特徴とする。
【０００７】
請求項２記載の遊戯用の景品カードは、請求項１記載の遊戯用の景品カードであって、前記第１カバーが、カッター刃の押し付けに応じて可塑変形するものであり、前記接続材が、前記第１カバーの可塑変形を許容する緩衝性を有する両面テープである、ことを特徴とする。
【０００８】
請求項３記載の遊戯用の景品カードは、請求項１又は２に記載の遊戯用の景品カードであって、前記第１カバーが、金属製である、ことを特徴とする。
【０００９】
請求項４記載の遊戯用の景品カードは、請求項１乃至３の何れか1つに記載の遊戯用の景品カードであって、前記第２カバーは、前記景品上に被せた第１カバーを少なくとも隠す不透明の領域を有している、ことを特徴とする。
【００１０】
請求項５記載の遊戯用の景品カードは、請求項１乃至４の何れか1つに記載の遊戯用の景品カードであって、景品カードが、パチンコの景品カードである、ことを特徴とする。
【発明の効果】
【００１１】
請求項１記載の遊戯用の景品カードでは、第２カバー下にある景品は、その周囲に設けられている段が、第１凹部に嵌められている第１カバーの開口部に嵌合している。第１カバーは、カッターの刃に抗し得る硬質材であるため、第２カバー上から景品の周りを切り取るためにカッターの刃が押し付けられた場合であっても、容易には切り取られない。また、第１凹部の周りの第２カバーをカッターで除去しても、第１カバーは第１凹部に嵌合しているため、その間にカッターの刃を入れることは、極めて困難である。更に、第１カバーと景品との間にカッターの刃を差し込めば、景品が傷つくため、景品を綺麗に抜き取ることができなくなる。景品を綺麗に取り出すには、カード本体を折り曲げて壊す等の作業が必要であり、この場合、景品を取り出した景品カードを元のようにすることはできなくなる。この結果、前記景品を抜き取った後の景品カードの不正使用を、有効に防ぐことができる。
【００１２】
請求項２記載の遊戯用の景品カードでは、前記請求項１記載の遊戯用の景品カードにおいて、更に、前記第１カバーが、カッター刃の押し付けに応じて可塑変形するものであり、前記接続材が、前記第１カバーの可塑変形を許容する緩衝性を有する両面テープであるため、第１凹部の周りの第２カバーをカッターで除去して、第１カバーと第１凹部との間にカッターの刃を入れようとすれば、第１カバーがカード本体の底方向に可塑変形し、さらに、刃を差し込むことが困難になる。景品を綺麗に取り出すには、カード本体を折り曲げて壊す等の作業が必要であり、この場合、景品を取り出した景品カードを元のようにすることはできなくなる。この結果、前記景品を取り出した後の景品カードの不正使用を、有効に防ぐことができる。
【００１３】
請求項３記載の遊戯用の景品カードでは、前記請求項１又は２に記載の遊戯用の景品カードにおいて、第１カバーが金属製であるので、カッターの刃に対してより強固に抗することができ、結果、前記景品を取り出した後の景品カードの不正使用を、より有効に防ぐことができる。
【００１４】
請求項４記載の遊戯用の景品カードでは、前記請求項１乃至３の何れかに記載の遊戯用の景品カードであって、更に、第２カバーが外観上第１カバーを隠す不透明領域を有しているため、第１カバーの存在が分からず、カッターによって景品の周りを切り取ることが難しくなる。仮に、第１カバー上の第２カバーが除去された場合でも、前記請求項１乃至３記載の構成による効果が得られる。
【００１５】
請求項５記載の遊戯用の景品カードでは、前記請求項１乃至４の何れか1つに記載の遊戯用の景品カードであって、景品カードがパチンコの景品カードであり、パチンコ店での使用に際し、前述の効果を奏することができる。
【図面の簡単な説明】
【００１６】
【図１】遊戯用の景品カードの実施形態の、パチンコの景品カードの斜視図である。
【図２】パチンコの景品カードの分解斜視図である。
【図３】景品を納める部分を抜き出して示す分解斜視図である。
【図４】景品の具体的形状を示す図である。
【図５】第１カバーの具体的形状を示す図である。
【図６】接続材の具体的形状を示す図である。
【図７】第２カバーの具体的形状を示す図である。
【図８】景品を納める部分を示す断面図である。
【発明を実施するための形態】
【００１７】
遊戯用の景品カードの実施形態について説明する。以下に部品相互の相対的な大小関係を含め説明する、景品の不正取り出し防止に関する構成部分以外の、景品カードの大きさ、厚み、外形等は、種々変更することができる。
【００１８】
図１は、遊戯用の景品カードの実施形態である、パチンコの景品カード１の斜視図である。カード１は、約８６ｍｍ×約５４ｍｍの大きさのもので、本体１００上に、景品１０３と、１又は複数のカード情報記録部品と、を収めた後に、カバー（説明の便宜上第２カバーという）１０５を超音波によって溶着させたものである。前記カード情報記録部品は、例えば、ホログラムを有している情報チップ１０６、バーコード・店名表示部材１０７をいう。
【００１９】
第２カバー１０５は、約８２ｍｍ×約５０ｍｍの大きさの、透明ＰＶＣシートである。該シートには、ＵＶハードコートと必要な印刷とが施されている。第２カバー１０５は、景品１０３と、１又は複数のカード情報記録部品と、のための透明窓１０５ａ乃至１０５ｄを備えている。
【００２０】
図２は、パチンコの景品カード１の分解斜視図である。カード１は、本体１００と、接続材１０２と、景品１０３と、第１カバー１０４と、第２カバー１０５と、情報チップ１０６と、バーコード・店名表示材１０７と、を備えている。カード１は、本体１００上の定めた位置に、景品１０３と、情報チップ１０６と、バーコード・店名表示材１０７とを設置し、景品１０３上の定めた位置に、接続材１０２、第１カバー１０４を被せた後に、第２カバー１０５を取り付けるという手順で製造される。前記接続材１０２は、景品１０３を載せる前に本体１００に貼り付けても良い。
【００２１】
本体１００は、大きく分けて２つの凹部１１０、１２０を有している。凹部１１０は、景品１０３と、これに関連する部品と、を収める。凹部１２０は、バーコード・店名表示部材１０７を収める。なお、設定事項であるが、本体１００には、情報チップ１０６用の凹部は、無い。情報チップ１０６は、定めた位置に設置されるだけである。
【００２２】
図３は、図２に示した、本体１００の凹部１１０と、接続材１０２と、景品１０３と、第１カバー１０４と、の部分を拡大して示す図である。
【００２３】
凹部１１０は、第１凹部１１０ａと、第２凹部１１０ｂと、で構成される。第１凹部１１０ａは、景品１０３の高さより浅い深さで、前記景品よりも広い第１領域（図中斜線を付して示す領域）を有している。本実施形態では、景品１０３の高さｔ１（図８参照）は０．８ｍｍであり、第１凹部１１０ａ（第１領域）は、２９ｍｍ×１８ｍｍであり、その深さｔ２（図８参照））は、０．３５ｍｍである。第２凹部１１０ｂは、景品１０３以上の深さを有し、景品を嵌め、固定できる形状のものである。本実施形態では、その深さｔ３（図８参照）は、０．９ｍｍである。即ち、第２凹部１１０ｂの底面は、第１凹部１１０ａから更に、ｔ４＝０．５５ｍｍの深い位置にある。
【００２４】
景品１０３は、縁周りに、段１０３ａが設けられている。前記段１０３ａは、前記第２凹部１１０ｂに景品を嵌合させた場合に、第１凹部１１０ａの底面以上となる位置にある。本実施形態では、段１０３ａの高さｔ５（図８参照）は、０．６ｍｍの位置に設けられている。段１０３ａは、ステップ状のものであるが、後述する第１カバー１０４の開口部１０４ａと嵌合し、該第１カバーを固定できる形状であれば、種々変更しても良い。
【００２５】
第１カバー１０４は、カッターの刃に抗し得る硬質材のものである。前記「カッターの刃に抗し得る硬質材」とは、第１カバー１０４がステンレス鋼、鋼等で製造されている市販のカッターの刃によって、切られ又は部分切除されない程の硬度、換言すれば、全く又は実質切られない程の硬度、を有する材料を意味する。例えば、ステンレス鋼、超硬質樹脂等の材料が、あげられる。第１カバー１０４は、前記材料でできているため、第２カバー１０５上から景品の周りを切り取るためにカッターの刃が押し付けられた場合であっても、容易には切り取られない。
【００２６】
第１カバー１０４は、第１凹部１１０ａに嵌合する形状のものであり、かつ、内側に前記景品の縁の段１０３ａに嵌合する開口部１０４ａを有しており、かつ、前記景品１０３に嵌合させた場合に、景品の上面と同じ位置又は景品の面よりも低い位置となる厚みのものである。本実施形態では、厚みｔ６（図８参照）は、０．１５ｍｍである。当該構成を採用したことによって、第１凹部の周りの第２カバー１０５をカッターで除去しても、第１カバーは第１凹部に嵌合しているため、その間にカッターの刃を入れることは、極めて困難である。更に、第１カバー１０４と景品１０３との間にカッターの刃を差し込めば、景品が傷つくため、景品を綺麗に抜き取ることができなくなる。景品を綺麗に取り出すには、カード本体１を折り曲げて壊す等の作業が必要になり、結果として、景品を取り出した景品カードの不正使用が、有効に防止される。
【００２７】
第１カバー１０４は、より好ましくは、カッター刃の押し付けに応じて可塑変形するものである。本実施形態では、ステンレス製のものを用いる。前記条件を満たすのであれば、樹脂又は合金等を用いても良い。当該構成を採用することによって、前記カッターの刃を第１凹部１１０ａと第１カバー１０４との間に差し込むことを、一層、難しくすることができる。
【００２８】
接続材１０２は、第１カバー１０４と第１凹部１１０ａの底面との間に介在し、第１カバー１０４と第１凹部１１０ａの底面とを接続する。接続剤１０２は、好ましくは、第１カバー１０４の可塑変形を許容する緩衝性を有する両面テープである。本実施形態では、厚みｔ７（図８参照）は、０．０５ｍｍである。
【００２９】
図４は、景品１０３の形状と、本実施形態での寸法と、を示す。図４（ａ）は、全体の上面図と、側面図と、を示す。図４（ｂ）は、（ａ）に示す部分Ａの拡大図を示す。図４（ｂ）に記載するように、景品１０３の厚みｔ１は、０．８ｍｍであり、周りの縁に設けられている段の高さｔ５は、０．６ｍｍである。
【００３０】
図５は、第１カバー１０４の形状と、本実施形態での寸法と、を示す。第１カバー１０４は、第１凹部１１０ａに嵌合するように、２８．９ｍｍ×１７．９ｍｍの大きさを有し、前記景品１０３の段１０３ａに嵌合する開口部１０４ａを有している。厚みｔ６は、０．１５ｍｍである。
【００３１】
図６は、接続材１０２の形状と、本実施形態での寸法と、を示す。接続材１０２は、第１凹部１１０ａに嵌合するように、２８．９ｍｍ×１７．９ｍｍの大きさを有し、前記第２凹部１１０ｂと同じ大きさ又は製造上の誤差を吸収するため僅かに大きな（例えば、第２凹部１１０ｂの外形よりも放射方向に約０．０２〜０．０４ｍｍ大きな）開口部１０２ａを有している。厚みｔ７は、０．０５ｍｍである。
【００３２】
図７は、第２カバー１０５の形状と、本実施形態での寸法と、を示す。第２カバー１０５は、第１カバー１０４の開口部１０５ａ上に設けられている透明窓１０５ａと、該透明窓１０５ａ周りに、少なくとも第１カバーを隠す不透明の第２領域１０５ｅと、を有している。本実施形態の第２カバー１０５は、透明窓１０５ａの他に、情報チップ１０６と、バーコード・店名表示部材１０７のバーコード部分と店名表示部分と、のための透明窓１０５ｂ、１０５ｃ、１０５ｄが設けられている。第２カバー１０５は、図１に斜線を付して示したように、透明窓１０５ａ、１０５ｂ、１０５ｃ、１０５ｄを除く全ての領域が第２領域に設定されている。景品１０３の周りを切り取とうとする者は、第１カバー１０４の存在に気づかず、景品１０３の周りを容易に切り取ることができない。仮に、数回の試みによって第１カバー１０４の位置を知り、この第１カバー１０４上の第２カバー１０５を除去しても、第１カバーは第１凹部１１０ａに嵌合し、本体１の表面と同じ又は低い位置にあるため、カード本体１を折り曲げて壊す等せずに、第１カバー１０４を取り外して景品を傷つけることなく綺麗に取り出すことは難しい。
【００３３】
図８は、第１凹部１１０ａに接続材１０２を置き、第２凹部１１０ｂに景品１０３を納め、景品１０３の段１０３ａと接続材１０２との上に第１カバー１０４を被せた状態の断面図である。位置関係の説明のため、本図の各部の大きさは、実際のものとは異なる。図示するように、景品１０３の段１０３ａの高さｔ５は、本体の第１凹部１１０ａの高さｔ４よりも高くなるように設定されている。この高さの差によって生じる間隙に、緩衝性を有する接続材１０２を介在させたことによって、第１カバー１０４上にカッターの刃が押し付けられると、カバー１０４はたわみ、第１カバー１０４の縁が奥に入り込む。結果、カッターの刃を第１凹部１１０ａと第１カバー１０４との間に差し込むことが、難しくなる。景品を綺麗に取り出すには、カード本体１を折り曲げて壊す等の作業が必要になり、前記景品を取り出した後の景品カードの不正使用を有効に防ぐことができる。
【００３４】
前記効果は、第１凹部１１０ａの深さｔ２の値が大きくなるほど顕著になる。しかし、深さｔ２は、折れ曲がった第１カバー１０４の端よりも深くすべきではない。この場合、折れ曲がった第１カバー１０４の端を、カッターの刃の先又は他の棒状部材で持ち上げることによって、第１カバーを外すことができてしまうからである。
【産業上の利用可能性】
【００３５】
本発明は、パチンコ、スロットマシン等、遊戯施設で用いる景品カードであって、特に、金貨、ペンダントトップ等の平板状の金銭価値のある景品を納め、前記景品を取り出した後の景品カードの不正使用を防止する必要のある景品カードに用いることができる。
【符号の説明】
【００３６】
１              景品カード
１００          本体
１０２          接続材
１０３          景品
１０４          第１カバー
１０５          第２カバー
１１０、１２０  凹部
【図１】
0005124029.tif 000002
【図２】
0005124029.tif 000003
【図３】
0005124029.tif 000004
【図４】
0005124029.tif 000005
【図５】
0005124029.tif 000006
【図６】
0005124029.tif 000007
【図７】
0005124029.tif 000008
【図８】
0005124029.tif 000009